【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
無線通信システムにおいて動作する送信端末（ＴＸ  ＵＥ）のための方法であって、前記方法は、
前記送信端末が受信端末（ＲＸ  ＵＥ）と直接通信するとき、基地局からサイドリンク承認を受信することと、
前記受信したサイドリンク承認の大きさが、６バイトのサイドリンク−共有チャネル（ｓｉｄｅｌｉｎｋ−ｓｈａｒｅｄ  ｃｈａｎｎｅｌ、ＳＬ−ＳＣＨ）ＭＡＣサブヘッダーと２バイトのＭＡＣサブヘッダーと１バイトのＲＬＣサブヘッダーとを含むメディアアクセス制御プロトコルデータユニット（Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ、ＭＡＣ  ＰＤＵ）の最小大きさより大きいとき、パッディングビットのみを含むＭＡＣ  ＰＤＵ以外のＭＡＣ  ＰＤＵを生成することと、
前記生成されたＭＡＣ  ＰＤＵを前記受信端末に送信することと
を含む、方法。
【請求項２】
前記ＭＡＣ  ＰＤＵの最小大きさは、９バイトに対応し、
前記受信したサイドリンク承認の大きさが１０バイト以上である場合、前記ＭＡＣ  ＰＤＵは、少なくとも１バイトの無線リンク制御サービスデータユニット（Ｒａｄｉｏ  Ｌｉｎｋ  Ｃｏｎｔｒｏｌ  Ｓｅｒｖｉｃｅ  Ｄａｔａ  Ｕｎｉｔ、ＲＬＣ  ＳＤＵ）を含むことによって生成される、請求項１に記載の方法。
【請求項３】
前記１０バイトは、前記６バイトのＳＬ−ＳＣＨ  ＭＡＣサブヘッダー、前記２バイトのＭＡＣサブヘッダー、前記１バイトのＲＬＣサブヘッダー、及び前記１バイトのＲＬＣ  ＳＤＵを含む、請求項２に記載の方法。
【請求項４】
前記受信されたサイドリンク承認の大きさが１０バイト未満である場合、
前記送信端末は、前記パッディングビットのみを含むＭＡＣ  ＰＤＵを送信するか、
前記送信端末は、前記受信したサイドリンク承認を無視して廃棄するか、
前記送信端末は、前記受信したサイドリンク承認を維持するが、前記送信端末は、前記受信端末にスケジューリング割り当てを送信しないか、あるいは
前記送信端末は、誤ったサイドリンクの受信を前記基地局に知らせる、請求項２に記載の方法。
【請求項５】
無線通信システムにおいて動作する送信端末（ＴＸ  ＵＥ）であって、前記送信端末は、
無線周波数モジュール（Ｒａｄｉｏ  Ｆｒｅｑｕｅｎｃｙ、ＲＦ）と、
前記無線周波数モジュールを制御するように構成されたプロセッサと
を含み、
前記プロセッサは、
前記送信端末が受信端末（ＲＸ  ＵＥ）と直接通信するとき、基地局からサイドリンク承認を受信することと、
前記受信したサイドリンク承認の大きさが、６バイトのサイドリンク−共有チャネル（ｓｉｄｅｌｉｎｋ−ｓｈａｒｅｄ  ｃｈａｎｎｅｌ、ＳＬ−ＳＣＨ）ＭＡＣサブヘッダーと２バイトのＭＡＣサブヘッダーと１バイトのＲＬＣサブヘッダーとを含むメディアアクセス制御プロトコルデータユニット（Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ、ＭＡＣ  ＰＤＵ）の最小大きさより大きいとき、パッディングビットのみを含むＭＡＣ  ＰＤＵ以外のＭＡＣ  ＰＤＵを生成することと、
前記生成されたＭＡＣ  ＰＤＵを前記受信端末に送信することと
を行うように構成される、送信端末。
【請求項６】
前記ＭＡＣ  ＰＤＵの最小大きさは、９バイトに対応し、
前記受信したサイドリンク承認の大きさが１０バイト以上である場合、前記ＭＡＣ  ＰＤＵは、少なくとも１バイトの無線リンク制御サービスデータユニット（Ｒａｄｉｏ  Ｌｉｎｋ  Ｃｏｎｔｒｏｌ  Ｓｅｒｖｉｃｅ  Ｄａｔａ  Ｕｎｉｔ、ＲＬＣ  ＳＤＵ）を含むことによって生成される、請求項５に記載の送信端末。
【請求項７】
前記１０バイトは、前記６バイトのＳＬ−ＳＣＨ  ＭＡＣサブヘッダー、前記２バイトのＭＡＣサブヘッダー、前記１バイトのＲＬＣサブヘッダー、及び前記１バイトのＲＬＣ  ＳＤＵを含む、請求項６に記載の送信端末。
【請求項８】
前記受信されたサイドリンク承認が１０バイト未満である場合、
前記プロセッサは、前記パッディングビットのみを含むＭＡＣ  ＰＤＵを送信するように構成されるか、
前記プロセッサは、前記受信したサイドリンク承認を無視して廃棄するように構成されるか、
前記プロセッサは、前記受信したサイドリンク承認を維持するように構成されるが、前記プロセッサは、前記受信端末にスケジューリング割り当てを送信しないように構成されるか、あるいは
前記プロセッサは、誤ったサイドリンクの受信を前記基地局に知らせるように構成される、請求項６に記載の送信端末。
【手続補正２】
【補正対象書類名】明細書
【補正対象項目名】００２０
【補正方法】変更
【補正の内容】
【００２０】
好ましくは、前記受信されたサイドリンク承認が１０バイト以下であれば、前記送信端末はパッディングビットのみを含むことによってＭＡＣ  ＰＤＵを送信するか、前記送信端末は前記受信したサイドリンク承認を無視して廃棄するか、前記送信端末は前記受信したサイドリンク承認を維持するとともに前記受信端末にスケジューリング割り当てを送信しないか、あるいは前記送信端末は誤ったサイドリンクの受信を基地局に知らせる。
本発明は、例えば、以下を提供する。
（項目１）
無線通信システムで動作する送信端末のための方法であって、
前記送信端末が受信端末と直接通信するとき、基地局からサイドリンク承認（ｓｉｄｅｌｉｎｋ  ｇｒａｎｔ）を受信する段階；
前記受信したサイドリンク承認の大きさを確認する段階；及び
前記受信したサイドリンク承認の大きさがメディアアクセス制御（Ｍｅｄｉｕｍ  Ａｃｃｅｓｓ  Ｃｏｎｔｒｏｌ、ＭＡＣ）ヘッダー及びサイドリンクトラフィックチャネル（Ｓｉｄｅｌｉｎｋ  Ｔｒａｆｆｉｃ  Ｃｈａｎｎｅｌ、ＳＴＣＨ）のための無線リンク制御（Ｒａｄｉｏ  Ｌｉｎｋ  Ｃｏｎｔｒｏｌ、ＲＬＣ）ヘッダーのみを含むＭＡＣプロトコルデータ単位（Ｐｒｏｔｏｃｏｌ  Ｄａｔａ  Ｕｎｉｔ、ＰＤＵ）の最小大きさより大きい場合、少なくとも１バイトのＲＬＣサービスデータユニット（Ｓｅｒｖｉｃｅ  Ｄａｔａ  Ｕｎｉｔ、ＳＤＵ）を含むＭＡＣ  ＰＤＵを送信する段階を含む、送信端末のための方法。
（項目２）
前記ＭＡＣ  ＰＤＵの最小大きさは、６バイトのサイドリンク−共有チャネル（ｓｉｄｅｌｉｎｋ−ｓｈａｒｅｄ  ｃｈａｎｎｅｌ、ＳＬ−ＳＣＨ）ＭＡＣサブヘッダー、２バイトのＭＡＣサブヘッダー及び１バイトのＲＬＣサブヘッダーを含む、項目１に記載の送信端末のための方法。
（項目３）
前記ＭＡＣ  ＰＤＵの最小大きさは９バイトである、項目１に記載の送信端末のための方法。
（項目４）
前記受信したサイドリンク承認の大きさが前記ＭＡＣ  ＰＤＵの最小大きさ以下の場合、
前記送信端末はパッディングビットのみを含むことによってＭＡＣ  ＰＤＵを送信するか、
前記送信端末は前記受信したサイドリンク承認を無視して廃棄するか、
前記送信端末は前記受信したサイドリンク承認を維持するとともに前記受信端末にスケジューリング割り当てを送信しないか、あるいは
前記送信端末は誤ったサイドリンクの受信を基地局に知らせる、項目１に記載の送信端末のための方法。
（項目５）
無線通信システムで動作する送信端末のための方法であって、
前記送信端末が受信端末と直接通信するとき、基地局からサイドリンク承認を受信する段階；
前記受信したサイドリンク承認の大きさを確認する段階；及び
前記受信したサイドリンク承認の大きさが１０バイト以上の場合、メディアアクセス制御プロトコルデータユニット（Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ、ＭＡＣ  ＰＤＵ）を送信する段階を含み、
前記ＭＡＣ  ＰＤＵはパッディングビットのみを含むＭＡＣ  ＰＤＵではない、送信端末のための方法。
（項目６）
前記受信したサイドリンク承認の大きさが１０バイト以上であれば、前記ＭＡＣ  ＰＤＵは少なくとも１バイトの無線リンク制御サービスデータユニット（Ｒａｄｉｏ  Ｌｉｎｋ  Ｃｏｎｔｒｏｌ  Ｓｅｒｖｉｃｅ  Ｄａｔａ  Ｕｎｉｔ、ＲＬＣ  ＳＤＵ）を含むことによって生成される、項目５に記載の送信端末のための方法。
（項目７）
前記１０バイトは、６バイトのサイドリンク−共有チャネル（ｓｉｄｅｌｉｎｋ−ｓｈａｒｅｄ  ｃｈａｎｎｅｌ、ＳＬ−ＳＣＨ）ＭＡＣサブヘッダー、２バイトのＭＡＣサブヘッダー及び１バイトのＲＬＣサブヘッダーを含む、項目５に記載の送信端末のための方法。
（項目８）
前記受信されたサイドリンク承認が１０バイト以下であれば、
前記送信端末はパッディングビットのみを含むことによってＭＡＣ  ＰＤＵを送信するか、
前記送信端末は前記受信したサイドリンク承認を無視して廃棄するか、
前記送信端末は前記受信したサイドリンク承認を維持するとともに前記受信端末にスケジューリング割り当てを送信しないか、あるいは
前記送信端末は誤ったサイドリンクの受信を基地局に知らせる、項目５に記載の送信端末のための方法。
（項目９）
無線通信システムで動作する送信端末であって、
無線周波数モジュール（Ｒａｄｉｏ  Ｆｒｅｑｕｅｎｃｙ、ＲＦ）；及び
前記無線周波数モジュールを制御するように構成されたプロセッサを含み、
前記プロセッサは、前記送信端末が受信端末と直接通信するとき、基地局からサイドリンク承認（ｓｉｄｅｌｉｎｋ  ｇｒａｎｔ）を受信し、前記受信したサイドリンク承認の大きさを確認し、前記受信したサイドリンク承認の大きさがメディアアクセス制御（Ｍｅｄｉｕｍ  Ａｃｃｅｓｓ  Ｃｏｎｔｒｏｌ、ＭＡＣ）ヘッダー及びサイドリンクトラフィックチャネル（Ｓｉｄｅｌｉｎｋ  Ｔｒａｆｆｉｃ  Ｃｈａｎｎｅｌ、ＳＴＣＨ）のための無線リンク制御（Ｒａｄｉｏ  Ｌｉｎｋ  Ｃｏｎｔｒｏｌ、ＲＬＣ）ヘッダーのみを含むＭＡＣプロトコルデータ単位（Ｐｒｏｔｏｃｏｌ  Ｄａｔａ  Ｕｎｉｔ、ＰＤＵ）の最小大きさより大きい場合、少なくとも１バイトのＲＬＣサービスデータユニット（Ｓｅｒｖｉｃｅ  Ｄａｔａ  Ｕｎｉｔ、ＳＤＵ）を含むＭＡＣ  ＰＤＵを送信するように構成される、送信端末。
（項目１０）
前記ＭＡＣ  ＰＤＵの最小大きさは、６バイトのサイドリンク−共有チャネル（ｓｉｄｅｌｉｎｋ−ｓｈａｒｅｄ  ｃｈａｎｎｅｌ、ＳＬ−ＳＣＨ）ＭＡＣサブヘッダー、２バイトのＭＡＣサブヘッダー及び１バイトのＲＬＣサブヘッダーを含む、項目１０に記載の送信端末。
（項目１１）
前記ＭＡＣ  ＰＤＵの最小大きさは９バイトである、項目１０に記載の送信端末。
（項目１２）
前記受信したサイドリンク承認の大きさが前記ＭＡＣ  ＰＤＵの最小大きさ以下の場合、
前記プロセッサはビットのみを含むことによってＭＡＣ  ＰＤＵを送信するように構成されるか、
前記プロセッサは前記受信したサイドリンク承認を無視して廃棄するように構成されるか、
前記プロセッサは前記受信したサイドリンク承認を維持するとともに前記受信端末にスケジューリング割り当てを送信しないように構成されるか、あるいは
前記プロセッサは誤ったサイドリンクの受信を基地局に知らせるように構成される、項目１０に記載の送信端末。
（項目１３）
無線通信システムで動作する送信端末であって、
無線周波数モジュール（Ｒａｄｉｏ  Ｆｒｅｑｕｅｎｃｙ、ＲＦ）；及び
前記無線周波数モジュールを制御するように構成されたプロセッサを含み、
前記プロセッサは、前記送信端末が受信端末と直接通信するとき、基地局からサイドリンク承認を受信し、前記受信したサイドリンク承認の大きさを確認し、前記受信したサイドリンク承認の大きさが１０バイト以上の場合、メディアアクセス制御プロトコルデータユニット（Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ、ＭＡＣ  ＰＤＵ）を送信するように構成され、
前記ＭＡＣ  ＰＤＵはパッディングビットのみを含むＭＡＣ  ＰＤＵではない、送信端末。
（項目１４）
前記受信したサイドリンク承認の大きさが１０バイト以上であれば、前記ＭＡＣ  ＰＤＵは少なくとも１バイトの無線リンク制御サービスデータユニット（Ｒａｄｉｏ  Ｌｉｎｋ  ＣｏｎｔｒｏｌＳｅｒｖｉｃｅ  Ｄａｔａ  Ｕｎｉｔ、ＲＬＣ  ＳＤＵ）を含むことによって生成される、項目１３に記載の送信端末。
（項目１５）
前記１０バイトは、６バイトのサイドリンク−共有チャネル（ｓｉｄｅｌｉｎｋ−ｓｈａｒｅｄ  ｃｈａｎｎｅｌ、ＳＬ−ＳＣＨ）ＭＡＣサブヘッダー、２バイトのＭＡＣサブヘッダー及び１バイトのＲＬＣサブヘッダーを含む、項目１３に記載の送信端末。
（項目１６）
前記受信されたサイドリンク承認が１０バイト以下であれば、
前記プロセッサはパッディングビットのみを含むことによってＭＡＣ  ＰＤＵを送信するように構成されるか、
前記プロセッサは前記受信したサイドリンク承認を無視して廃棄するように構成されるか、
前記プロセッサは前記受信したサイドリンク承認を維持するとともに前記受信端末にスケジューリング割り当てを送信しないように構成されるか、あるいは
前記プロセッサは誤ったサイドリンクの受信を基地局に知らせるように構成される、項目１３に記載の送信端末。